(57)【要約】【課題】外観がすっきりして見栄えをよくすることができ、かつ組立作業が容易になるケースを提供する。【解決手段】ケース本体と、該ケース本体に設けられる姿勢保持部により、当該ケース本体と非連結状態で開閉可能な蓋とからなる。【選択図】　　　　図２
2004099113.tif 000002
【特許請求の範囲】
【請求項１】
ケース本体と、該ケース本体に設けられる姿勢保持部により、当該ケース本体と非連結状態で開閉可能な蓋とからなるケース。
【請求項２】
前記ケース本体の上面の少なくとも一部が開口しており、前記蓋が該開口内に設けられる請求項１記載のケース。
【請求項３】
前記蓋が前記ケース本体を覆うように該ケース本体に載置されてなる請求項１記載のケース。
【請求項４】
前記姿勢保持部が前記ケース本体の側壁部に設けられてなる請求項１、２または３記載のケース。
【請求項５】
前記姿勢保持部が前記ケース本体の対向する側壁部にそれぞれ設けられてなる請求項１、２または３記載のケース。
【請求項６】
前記姿勢保持部が、その上部に凹所が形成されてなる請求項１、２または３記載のケース。
【請求項７】
前記ケース本体の側壁部に蓋支持部が設けられてなる請求項１または２記載のケース。
【請求項８】
前記蓋の裏面および前記ケース本体の側壁部に、該蓋の水平移動を規制する規制部が設けられてなる請求項１または３記載のケース。
【請求項９】
前記ケース本体の上面と前記蓋の上面とがほぼ同一面にされてなる請求項１、２または３記載のケース。
【請求項１０】
前記蓋の上面が前記ケース本体の上面より突出してなる請求項１、２または３記載のケース。
【請求項１１】
前記蓋の上面が前記ケース本体の上面より窪んでいる請求項１、２または３記載のケース。
【請求項１２】
前記蓋の内面にシート収納部が設けられてなる請求項１、２または３記載のケース。
【請求項１３】
前記蓋の形状が多角形または半円形である請求項１、２または３記載のケース。
【請求項１４】
前記多角形が正方形である請求項１３記載のケース。
【請求項１５】
前記ケース本体に脚部が設けられてなる請求項１、２または３記載のケース。
【請求項１６】
前記ケース本体内にオルゴール機構が設けられなる請求項１、２または３記載のケース。
【発明の詳細な説明】
【０００１】
【発明の属する技術分野】
本発明はケースに関する。さらに詳しくは、外観がすっきりして見栄えをよくすることができるケースに関する。
【０００２】
【従来の技術】
従来より、宝石、装飾品、貴金属品、時計さらには小物類を収納するケースとして、上面が開放されているケース本体に蓋を蝶番により開閉自在に取り付けたものがある（たとえば、特許文献１参照）。
【０００３】
かかるケースでは、蓋の開閉が蝶番により行なわれるので、収納物の出し入れ自体は比較的簡単である。
【０００４】
【特許文献１】
実開平４−１２４９２９号公報
【０００５】
【発明が解決しようとする課題】
しかしながら、従来のケースでは、蝶番が露出しているため、安っぽく見えるとともに、ケース全体のデザインに制約がある。また、従来のケースでは、ケース本体および蓋の加工後、蝶番を蓋がケース本体に対して傾かないように取り付ける必要があるため、加工および組立の工数が多くなるとともに、蝶番の取付精度を確保するのに時間が掛かるという問題がある。
【０００６】
本発明は、叙上の事情に鑑み、外観がすっきりして見栄えをよくすることができ、かつ組立作業が容易になるケースを提供することを目的とする。
【０００７】
【課題を解決するための手段】
本発明のケースは、ケース本体と、該ケース本体に設けられる姿勢保持部により、当該ケース本体と非連結状態で開閉可能な蓋とからなることを特徴とする。
【０００８】
【発明の実施の形態】
以下、添付図面に基づいて本発明のケースを説明する。
【０００９】
本発明のケースは、オルゴール、宝石箱または小物入れなどに好適に適用することができるが、もちろん他の用途にも適用可能である。
【００１０】
実施の形態１
図１〜６に示されるように、本発明の実施の形態１にかかわるケースは、分離可能なケース本体１と蓋２とから構成されている。
【００１１】
前記ケース本体１としては、内部に収納部Ｒが設けられているものであれば、その形状や大きさなどの外観形状については、とくに限定されるものではない。たとえば形状として、平面が正方形、長方形、ひし形、三角形またはハート形などの短柱以外にも截頭円錐体、截頭四角錐体または截頭三角錐体などを採用することができ、大きさも収納物に応じて一辺数ｃｍ程度から数十ｃｍ程度とすることができる。本実施の形態１では、ケース本体１は、側壁部３ａ、３ｂ、３ｃ、３ｄからなる枠部３と、収納部Ｒが形成される底部４と、該底部４の裏面の四隅に設けられる脚部５とから構成されている。前記ケース本体１は、上面の大部分が開口しており、この開口内に蓋２が設けられている。このケース本体１は、上面の一部分だけが開口している構成であってもよい。前記ケース本体１内には、前記蓋２を非連結状態、すなわち蓋２を本体ケース１から分離可能な状態で開閉可能にする姿勢保持部６が設けられている。本実施の形態１では、この姿勢保持部６として、前記４つの側壁部のうち、対向する側壁部３ｂ、３ｄにそれぞれ一体成形されるか、または別体として固着された第１姿勢保持部材６ａおよび第２姿勢保持部材６ｂからなるものが用いられているが、本発明においては、これに限定されるものではなく、前記ケース本体１の側壁部３ａに、少なくとも１つの姿勢保持部材を設けることもできる。また、本実施の形態における第１姿勢保持部材６ａおよび第２姿勢保持部材６ｂは、左右に分かれているが、これらを連続した１つの部材とすることもできる。
【００１２】
前記第１姿勢保持部材６ａおよび第２姿勢保持部材６ｂは、その上部に凹所７が形成されており、断面がほぼＵ字状にされている。そして、前記蓋２は、図１および図７（ａ）に示されるように、その１辺を矢印Ｆの方向から押し下げると、図１および図７（ｂ）に示されるように、端部２ａが第１姿勢保持部材６ａおよび第２姿勢保持部材６ｂの凹所７に嵌り込む。そして、この状態で、図７（ｃ）に示されるように、ケース本体１の上面より突出した蓋２の他の端部２ｂを持って蓋２をゆっくり持ち上げると、前記端部２ａが前記側壁部３ａの側縁８に係止して、該蓋２を所定の角度、たとえば約９５〜１７０°程度の傾斜角で傾けさせた状態で静止させることができる。なお、たとえば前記凹所７の深さを深くすると、第１姿勢保持部材６ａおよび第２姿勢保持部材６ｂの凹所７のみで前記蓋２を保持させることもできる。また、蓋２を矢印Ｆの方向から押し下げる位置は、常時ケースを使用する場合、蓋２の開閉方向がわかっているので、とくに明示する必要はないが、誤操作を確実に防止するために、蓋２の押し下げ位置を示す表示部を設けることもできる。
【００１３】
前記蓋２は、該蓋２が閉じている状態のときには、側壁部３ｂ、３ｃ、３ｄに設けられる蓋支持部９に載置され、その上面は、前記ケース本体１の上面とほぼ同一面にされている。この蓋２の上面は，ケース本体１の上面とほぼ同一面にする以外に蓋２をケース本体１の上面より突出させたり、または窪ませたりすることもできる。また、前記蓋２の形状は、その端部２ａが姿勢保持部６に嵌り込むことができれば、適宜選定することができるが、ケース本体および蓋の加工上、正方形、矩形、三角形の多角形もしくは半円形、またはそれらを適宜組み合わせた形状などとすることができる。蓋２の形状は、ケース本体１の形状と同じであってもよいし、異なっていてもよい。なお、前記蓋２の形状として、正方形など角の数が偶数の等辺多角形を採用すると、辺がすべて同一寸法であるため、蓋２の方向性（回転向き）にかかわらずケース本体１に取り付けることができる。同じく、円形の蓋でも蓋の方向性にかかわらずケース本体に取り付けることができる。
【００１４】
本実施の形態１では、蓋２の内面に、座部１０と止めネジ１１とガラス１２とからなるシート収納部１３が設けられている。このシート収納部１３には、ケースを使用する者や家族の写真、またはペットや風景の写真、さらには文字やイラストなどを収納することができる。また、故人の写真や肖像画をシート収納部１３に入れ、ケース内に故人を偲ぶことができる音楽を奏でるオルゴール機構ないしはオルゴールユニットを設けるようにしてもよい。
【００１５】
また、前記本体ケース１の収納部Ｒとして、たとえば小物を入れる蓋２１とポケット２２からなるか、またはポケット２２のみからなる蓋付収納部Ｒ１と、たとえばオルゴール機構ないしはオルゴールユニットや宝石類を入れる蓋２３とポケット２４からなる蓋付収納部Ｒ２とが設けられている。
【００１６】
また、前記本体ケース１および蓋２の表面は、無地にしてもよいが、一部に象嵌３１を埋め込むか、または模様を施すなどして外観の意匠性を高めるようにしてもよい。
【００１７】
さらに本体ケース１および蓋２の材質は、本発明において、とくに限定されるものではないが、たとえば表面化粧板や合成樹脂などを用いることができる。
【００１８】
なお、本実施の形態１では、前記姿勢保持部６の第１姿勢保持部材６ａおよび第２姿勢保持部材６ｂがほぼＵ字状にされているが、本発明においては、これに限定されるものではなく、前記凹所７の断面形状は、蓋２の端部２ａが嵌ることができ、かつ蓋２を所定の角度傾けた状態で保持することができるものであれば、Ｊ字状や半円状など他の形状を採用することもできる。たとえば図８に示されるように、対向する左右の側壁部３２（右側の側壁部は図示せず）の蓋支持部３２ａの先端部に、滑らかに蓋を開けるために、図７（ｂ）に示される蓋２の傾斜状態を保持させる傾斜部３３と図７（ｃ）に示される蓋２の傾斜状態を保持させる凹所３４とからなる姿勢保持部３５とすることもできる。
【００１９】
実施の形態２
つぎに本発明の実施の形態２を説明する。本実施の形態２にかかわるケースでは、図９〜１１に示されるように、蓋４１が本体ケース４２を覆い被さるように該本体ケース４２に載置されている。このため、本実施の形態２では、前記実施の形態１における蓋支持部が省かれている。また、前記実施の形態１における姿勢保持部は、ケース本体に別体のものとして設けられているが、本実施の形態２では、左右の姿勢保持部４３がケース本体４２の側壁部４２ｂ、４２ｄに一体に設けられている。この姿勢保持部４３としては、傾斜部４４と凹所４５とからなるものが用いられている。なお、前記ケース本体４２の側壁部４２ａの丈および前記側壁部４２ｂ、４２ｄの凹所４５の側壁部４２ａ側の側壁の丈は、側壁部４２ｂ、４２ｃ、４２ｄの丈より蓋４１の厚さだけ大きくされている（以下、延長部分という）。また、前記蓋４１の裏面の３方向には規制部４６が設けられている。これにより、蓋４１は、この規制部４６と前記蓋４１の厚さだけ大きくされた側壁部４２ａおよび凹所４５の側壁の延長部分とにより、四方の移動が規制されている。なお、規制部４６に代えて、この規制部４６と同じ外形を有する、図２に示されるようなシート収納部を設けることもできる。
【００２０】
本実施の形態２では、図９に示されるように、蓋４１は、端部４１ａを矢印Ｆの方向から押し下げると、傾斜部４４（図１０参照）により端部４１ｂがわずかに開き、端部４１ａが左右の姿勢保持部４３の凹所４４に嵌り込む。ついでケース本体４２の上面より突出した蓋４１の他の端部４１ｂを持って蓋４１をゆっくり持ち上げると、図１１に示されるように、前記端部４１ａが前記延長部（側壁部４２ａおよび凹所４５の側壁）の側縁４７に係止して、該蓋４１を所定の角度、たとえば約９５〜１７０°程度の傾斜角で傾けさせた状態で静止させる。
【００２１】
なお、本実施の形態２では、前記実施の形態１と同様に、蓋４１の内面にシート収納部を設けることもできる。また、本体ケース４２の内部に、たとえば小物を入れる収納部と、たとえばオルゴール機構ないしはオルゴールユニットや宝石類を入れる収納部とを設けることもできる。
【００２２】
また、前記蓋についても、正方形などの多角形もしくは半円形、またはそれらを適宜組み合わせた形状とすることもできるとともに、前記ケース本体に脚部を設けることもできる。
【００２３】
実施の形態３
つぎに本発明の実施の形態３を説明する。本実施の形態３にかかわるケースは、前記実施の形態２と同様、図１２に示されるように、蓋５１が本体ケース５２を覆い被さるように該本体ケース５２に載せられているが、姿勢保持部５３がケース本体５２の外部に設けられている。すなわち本実施の形態３における姿勢保持部５３は、ケース本体５２の側壁部５２ａの外壁面に設けられている。この姿勢保持部５３は、幅寸法がケース本体５２の幅寸法以内であり、側壁部５２ａとのあいだに凹所５４が形成されるように断面がほぼＬ字状を呈している。
【００２４】
本実施の形態３では、図１２に示されるように、蓋５１は、端部５１ａを矢印Ｆの方向から押し下げると、端部５１ｂがわずかに開き、端部５１ａが左右の姿勢保持部５３の凹所５４に嵌り込む。ついでケース本体４２の上面より突出した蓋５１の他の端部５１ｂを持って蓋５１をゆっくり持ち上げると、図１３に示されるように、前記端部５１ａが姿勢保持部５３の側縁５５に係止して、該蓋５１を所定の角度、たとえば約９５〜１７０°程度の傾斜角で傾けさせた状態で静止させる。前述した実施の形態１〜２も含め、９５°程度の小さい角度で静止させる場合は、蓋の厚さにほぼ等しい幅の嵌め込み部を姿勢保持部に設けておく必要がある。
【００２５】
なお、本実施の形態３では、姿勢保持部５３の両端部５３ａが開放しているが、本発明においては、これに限定されるものではなく、この両端部５３ａに側板を固着して、蓋５１の左右方向のずれを防止することもできる。
【００２６】
また、前記実施の形態１と同様に、蓋５１の内面にシート収納部を設けることもできる。また、本体ケース５２の内部に、たとえば小物を入れる収納部と、たとえばオルゴール機構ないしはオルゴールユニットや宝石類を入れる収納部とを設けることもできる。
【００２７】
また、前記蓋についても、正方形などの多角形もしくは半円形、またはそれらを適宜組み合わせた形状とすることもできるとともに、前記ケース本体に脚部を設けることもできる。
【００２８】
【発明の効果】
以上説明したとおり、本発明によれば、蓋の開閉が簡単であるとともに、蝶番などの連結金具を用いていないので、外観がすっきりして見栄えをよくすることができる。また、蓋の取り外しができるので、蓋が邪魔になり中の物の出し入れが困難になるということがない。
【００２９】
また、蝶番を取り付ける組立作業を省けるので、作業効率を向上させることができる。
【００３０】
さらに蝶番の制約がないことから、デザインの幅を広げることができる。
【図面の簡単な説明】
【図１】本発明の実施の形態１にかかわるケースを示す斜視図である。
【図２】図１のケースの蓋を開けたときの状態を示す図である。
【図３】図１のケースから蓋を取り外したときの状態を示す図である。
【図４】図１のケース本体の平面図である。
【図５】図４のＡ−Ａ線断面図である。
【図６】図４のＢ−Ｂ線断面図である。
【図７】実施の形態１にかかわるケースの蓋を開ける動作を示す断面図である。
【図８】姿勢保持部の他の実施の形態を示す要部斜視図である。
【図９】本発明の実施の形態２にかかわるケースを示す斜視図である。
【図１０】図９のケースの分解斜視図である。
【図１１】図９のケースの蓋を開けたときの状態を示す図である。
【図１２】本発明の実施の形態３にかかわるケースを示す斜視図である。
【図１３】図１２のケースの蓋を開けたときの状態を示す図である。
【符号の説明】
１、４２、５２　　ケース本体
２、４１、５１　　蓋
２ａ、４１ａ、５１ａ　端部
２ｂ、４１ｂ、５１ｂ　他の端部
３　　枠部
３ａ、３ｂ、３ｃ、３ｄ　側壁部
、３２、４１ａ、４１ｂ
、４１ｃ、４１ｄ、５２ａ
４　　底部
５　　脚部
６、４３、５３　　姿勢保持部
６ａ　第１姿勢保持部材
６ｂ　第２姿勢保持部材
７、４５、５４　　凹所
８、４７、５５　　側縁
９、３２ａ　蓋支持部
１０　　座部
１１　　止めネジ
１２　　ガラス
１３　　シート収納部
２１、２３　　蓋
２２、２４　　ポケット
３１　　象嵌
４４　　傾斜部
４６　　規制部
【図１】
2004099113.tif 000003
【図２】
2004099113.tif 000004
【図３】
2004099113.tif 000005
【図４】
2004099113.tif 000006
【図５】
2004099113.tif 000007
【図６】
2004099113.tif 000008
【図７】
2004099113.tif 000009
【図８】
2004099113.tif 000010
【図９】
2004099113.tif 000011
【図１０】
2004099113.tif 000012
【図１１】
2004099113.tif 000013
【図１２】
2004099113.tif 000014
【図１３】
2004099113.tif 000015